(57)【要約】【課題】  従来の一体化基板では、一部の回路部分を修正するだけであっても、基板全体を修正しなければならない。また、他に装置に流用したり、変更したりすることに対しても、基板の大変更を行わなければならない。  カメラ一体型の画像伝送装置において、基板構成を機能毎に分割しモジュール化構造とすることで容易に変更、流用ができるようにする。【解決手段】  基板構成を機能毎に分割し、モジュール化構造として変更部分の基板面積を小さく押さえられるようにした。【選択図】  図１
2006054918.tif 000002
【特許請求の範囲】
【請求項１】
撮像視野内の画像を取得し、取得された該画像を出力するカメラにおいて、
上記撮像視野内を撮像し映像信号として出力するカメラ回路部と、
上記カメラ回路部と結合し、上記映像信号を所定の形式で圧縮したデータとして出力するコーデック回路部と、
上記コーデック回路部と結合し、伝送制御を行うＣＰＵを含み上記圧縮されたデータを伝送する基本回路部と、
上記カメラ回路部と上記コーデック回路部に電源を供給する電源回路部とを備え、
上記電源回路部を、上記ＣＰＵから遠くになるように配置することを特徴とするカメラ。
【請求項２】
請求項１に記載のカメラにおいて、上記圧縮したデータをネットワークに伝送することを特徴とするカメラ。
【発明の詳細な説明】
【技術分野】
【０００１】
本発明は、カメラに関わり、特にネットワークに対応した画像伝送カメラに関するものである。
【背景技術】
【０００２】
図２によって、従来技術の一例を説明する。
カメラの画像をネットワークに伝送して遠方にあるパソコン等でその画像を見る場合には、撮像視野の画像を取得し、映像信号（例えば、 NTSC 信号）A を出力するカメラ 20 と、カメラ 20 から出力された映像信号 A を A/D（ Analog to Digital ）変換し、その画像データを JPEG や MPEG-4 等の圧縮コーデックで圧縮し、そのデータ B をネットワーク 22 を介して端末 23 に伝送する画像伝送装置 21 とを用いていた。端末 23 は、少なくとも１つ以上ある。
この場合、少なくとも、カメラと画像伝送装置の２つの機器が必要だった。
【０００３】
また、カメラに画像伝送回路が内蔵されたものもある。この一例を図３に示す。図３のネットワーク画像伝送用のカメラ 30 は、１枚の基板 100 上に、少なくとも、カメラ回路部 31 と画像コーデック回路部 32 と、CPU を含み LAN 等の制御を行っている基本回路部 33 とを実装している。そのため単にコーデックを変更するだけの場合も、カメラ回路部 31 だけ、または、基本回路部 33 を変更する場合も、この１枚の基板 100 全体を修正する必要がある。
また、他に流用したり、変更することに対して大変更を行わなければならない。
なお、出願人が知っている先行技術は文献公知発明に係るものではない。
【発明の開示】
【発明が解決しようとする課題】
【０００４】
前述の従来技術には、一部の回路部分を修正するだけであっても、基板全体を修正しなければならない欠点があった。また、他に装置に流用したり、変更したりすることに対しても、基板の大変更を行わなければならない欠点があった。
本発明の目的は、これらの欠点を除去し、カメラ一体型の画像伝送装置を実現し、かつ基板構成も機能毎に分割しモジュール化構造とすることで容易に変更、流用ができることを目的とする。
【課題を解決するための手段】
【０００５】
上記の目的を達成するために本発明のネットワーク画像伝送カメラは、構成する基板をカメラ回路部、コーデック回路部、基本回路部と機能毎に分割してモジュール化構造としたものである。
【０００６】
即ち、本発明のカメラは、撮像視野内の画像を取得し、取得された該画像を出力するカメラにおいて、撮像視野内を撮像し映像信号として出力するカメラ回路部と、カメラ回路部と結合し、映像信号を所定の形式で圧縮したデータとして出力するコーデック回路部と、コーデック回路部と結合し、伝送制御を行うＣＰＵを含み上記圧縮されたデータを伝送する基本回路部と、カメラ回路部とコーデック回路部に電源を供給する電源回路部とを備え、電源回路部を、ＣＰＵから遠くになるように配置したものである。
また好ましくは、本発明のカメラは、圧縮したデータをネットワークに伝送するものである。
また好ましくは、本発明のカメラは、基本回路部にコンパクトフラッシュ等のリムーバブルな記憶媒体を実装したものである。
【発明の効果】
【０００７】
本発明によれば、一部の回路部分を修正するだけであっても、各分割された基板毎に修正でき、また、他の装置に流用したり、変更したりすることに対しても、各分割された基板毎に変更が容易となった。
【発明を実施するための最良の形態】
【０００８】
以下本発明の一実施例を図１により説明する。
図１は、本発明の一実施例の簡単な構成を示すブロック図である。ネットワーク画像伝送用のカメラ 10 の中の動作は、以下の通りである。カメラ回路部 12 は、少なくともプロセス回路処理回路を含み、撮像視野を取得した画像を NTSC 信号 A に変換してコーデック回路部 13 に出力する。コーデック回路部13 は、入力された映像信号 A を A/D 変換し、変換された画像データを JPEG や MPEG-4 等の圧縮コーデックで圧縮して基本回路部 14 に出力する。基本回路部 14 は、CPU が実装され、入力された圧縮データを読み込んで、そのデータ B をネットワークに伝送したり各種制御を行う。
【０００９】
図４に画像伝送回路部の詳細なブロック図を示す。
基本回路部 14 は、少なくとも、CPU 回路 41 、フラッシュメモリ回路 42 、DRAM 回路 43 、コネクタ回路 44 、リアルタイムクロック回路 45 、LAN 制御回路 46 から構成される。
フラッシュメモリ回路 42 は、CPU 回路 41 が実行するプログラムを格納している。CPU 回路 41 は、LAN 制御回路 46 をアクセスすることでネットワーク22 を通してデータ B を送受信する。
【００１０】
コーデック回路部 13 は、少なくとも、コーデック回路51 と、A/D 変換回路 52 と、電源回路 53 と、メモリ回路 54 とから構成される。
A/D 変換回路 52 は、カメラ回路部 12 から入力される NTSC のアナログ映像信号 A をディジタイズし、コーデック回路 51 に出力する。コーデック回路51 は入力されたデータの圧縮を行い、圧縮されたデータ C を基本回路部 14 に出力する。本実施例では JPEG 圧縮を行っている。
圧縮データ C は、メモリ回路 54 でバッファリングされる。本実施例では A/D 変換回路 52 とコーデック回路 51 とを分けて記述したが小型化の為にこれらを１チップ回路で構成されたデバイスを使用することも可能である。
【００１１】
電源回路 53 は、外部電源 G を与えられ、コーデック回路部 13 と基本回路部 14 の電源を供給する。これは基本回路部 14 をどのアプリケーションでも共通に使用し、コーデック回路部 13 をいろいろなアプリケーションに従ってアレンジするため、そのアプリケーションに応じて電源の負荷容量をコーデック回路 13 で変化させるように制御するためである。
これに柔軟に対応できるように電源回路 53 をコーデック回路部 13 に実装した。
【００１２】
電源回路 53 が、基本回路部 14 に供給する電源電流 E は固定である。しかし、電源回路53 が供給し、コーデック回路部 13 で使用する電源電流 F は、コーデックの種類により変わる。
また、この電源回路 53 は、省電力化のために高効率のスイッチング方式を用いている。そのためスイッチングノイズの影響がカメラ回路部 12 に影響を及ぼさないように基板の後方に配置している。即ち、コーデック回路部 13 とカメラ回路部 12 とは、遠い位置に距離をあけて配置する。
例えば、図４の例では、基本回路部 14 とコーデック回路部 13 とは、コネクタ 200 で直接接続しているが、コーデック回路部 13 とカメラ回路部 12 とは、コーデック回路部 13 に直接接続するコネクタ 201 とカメラ回路部 12 に直接接続するコネクタ 202 との間に接続ケーブル 203 、204 を介している。
【００１３】
カメラ回路部 12 は、例えば、撮像視野内を撮像し、A/D 変換する A/D 変換器と、A/D 変換されたデータを映像処理するための DSP 部、及び、DSP 部の出力データを D/A（ Digital to Analog ）変換して、映像信号と（例えば、NTSC 信号）してコネクタ 202 と接続ケーブル 203 とを介してコーデック回路部 13 に出力する D/A 変換器、並びに、電源部とを備え、電源部は、コネクタ 202 と接続ケーブル 204 とを介してコーデック回路部13 の電源回路部 53 に外部電源 G を供給する。（図示しない）
【００１４】
制御用信号 D は、CPU 41 の入出力ポートでシリアルとパラレルがあり、外部入出力装置、外部機器、等（図示しない）と信号を送受し、これによりカメラ回路部 12 や外部入出力装置、外部機器、等を制御する。
【００１５】
リアルタイムクロック回路 45 は、時間情報を生成しその時間情報を画像データに付加してネットワーク画像伝送を行う。このリアルタイムクロック回路 45 は、電池でバックアップされている。
またコネクタ回路 44 は、コンパクトフラッシュ等のリムーバブルな記憶媒体で画像データを記憶または蓄積するために用いる。
【００１６】
以上のように、基本回路部 14 とコーデック回路部 13 は、それぞれ異なる基板に分かれて実装されていて、コネクタ 200 で CPU バス C 、入出力ポート D 、及び電源 E が入力または出力される。
処理速度向上のため電源投入時にフラッシュメモリ回路 42 のプログラムは、DRAM 回路 43 にコピーされ、そのプログラムが DRAM 回路 43 で実行される。この理由は、DRAM 回路 43 の方がフラッシュメモリ回路 42 よりもアクセスタイムが短く、かつ、データバス幅が広いのでプログラムフェッチ時間の短縮が図れるためである。
【００１７】
ここで、CPU 回路 41 は、例えば、内部クロック周波数 120 MHz 以上で動作する RISC 型 CPU を使用している。これによりネットワークへの画像配信能力が 7.2 Mbps 以上となる。
また CPU 回路 41 の CPU は、CSP（ Chip Size Package）タイプ等の小型のものを用い、また LAN 制御回路 46 も１チップで MAC（ Media Access Controller ）と PHY（ Physical Layer ）と SRAM が集積されているデバイスを用いることにより基板外形寸法 100 mm × 60 mm 以内に小型化できる。
【００１８】
また、上記実施例では、コーデック回路部 13 と基本回路部 14 とカメラ回路部 12 をそれぞれ１枚ずつの基板で実現しているが、例えば、電源回路 53 を更に別基板とする等、その中の機能別または性能向上のために、更に複数の基板に分割しても良い。
また、上記実施例では、電源回路 53 に外部電源 G をカメラ回路部 12 から供給していたが、図示しない別の機器から供給しても良い。
【００１９】
またコーデック回路部 13 も、電源回路 53 に高効率のスイッチング方式を用いて省電力化し、また A/D 変換回路 52 、コーデック回路 51 に１チップに集積されたデバイスを用いて前記基板外形寸法以内の面積を実現している。
【００２０】
本発明により以下の効果が得られる。
即ち、どのカメラに対してもコーデック回路部 13 と基本回路部 14 の基板は共通して使用可能となる。また画像の圧縮方式を、例えば、 JPEG から MPEG-4 に変更する場合は、コーデック回路部 13 の基板のみ変更すればよくその他の基板はそのまま使用可能となりユニットとしての流用効率が高い。また基板変更の時に対象基板の面積が小さくてすむので基板のパターン設計も効率向上する。
【００２１】
またネットワーク画像伝送系基板（コーデック回路部 13 と基本回路部 14 ）で使用する直流電源 E と F は、コーデック回路部 13 の基板に実装する。これにより画像の圧縮方式その他で消費電流が変更になっても変更対象の基板に電源回路が存在するので容易に電流容量変更の対応が可能となる。
【００２２】
更に、コンパクトフラッシュ等のリムーバブルな記憶媒体を実装できるのでアプリケーションに合わせた記憶容量の選択が自由にでき、将来的に開発されるであろう更なる大容量の記憶容量の媒体を現状の回路のままで簡単に利用できることになる。
また更に、複数の基板を用いてカメラ一体型ではない、専用のネットワーク画像伝送装置を容易に実現でき、コーデック回路部 13 を複数用いて多チャンネルの画像伝送装置を開発することも容易に可能となる。
【図面の簡単な説明】
【００２３】
【図１】本発明の一実施例の簡単なブロック図である。
【図２】従来例を示す図である。
【図３】従来例を示す図である。
【図４】本発明の一実施例の詳細なブロック図である。
【符号の説明】
【００２４】
10，20，30：カメラ、  21：画像伝送装置、  22：ネットワーク、  23：端末、  12，31：カメラ回路部、  13，32：画像コーデック回路、  14，33：基本回路部、  41：CPU 回路、  42：フラッシュメモリ回路、  43：DRAM 回路、  44：コネクタ回路、  45：リアルタイムクロック回路、  46：LAN 制御回路、  51：コーデック回路、  52： A/D 変換回路、  53：電源回路、  54：メモリ回路、  100：基板、  200，201，202：コネクタ、  203，204：接続ケーブル、  A：NTSC 映像信号、  B：データ。
【図１】
2006054918.tif 000003
【図２】
2006054918.tif 000004
【図３】
2006054918.tif 000005
【図４】
2006054918.tif 000006
【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
撮像視野内の画像を取得し、取得された該画像を出力するカメラにおいて、
上記撮像視野内を撮像し映像信号として出力するカメラ回路部と、
上記カメラ回路部と結合し、上記映像信号を所定の形式で圧縮し、該圧縮されたデータを出力するコーデック回路部と、
上記コーデック回路部と結合し、上記圧縮されたデータを伝送する基本回路部であって、伝送制御を行うＣＰＵを含む基本回路部と、
上記カメラ回路部と上記コーデック回路部に電源を供給する電源回路部とを備え、
上記電源回路部を、上記ＣＰＵから遠くになるように配置することを特徴とするカメラ。
【請求項２】
請求項１に記載のカメラにおいて、上記圧縮されたデータをネットワークに伝送することを特徴とするカメラ。
【手続補正２】
【補正対象書類名】明細書
【補正対象項目名】０００６
【補正方法】変更
【補正の内容】
【０００６】
即ち、本発明のカメラは、撮像視野内の画像を取得し、取得された該画像を出力するカメラにおいて、撮像視野内を撮像し映像信号として出力するカメラ回路部と、カメラ回路部と結合し、映像信号を所定の形式で圧縮し、該圧縮されたデータを出力するコーデック回路部と、コーデック回路部と結合し、圧縮されたデータを伝送する基本回路部であって、伝送制御を行うＣＰＵを含む基本回路部と、カメラ回路部とコーデック回路部に電源を供給する電源回路部とを備え、電源回路部を、ＣＰＵから遠くになるように配置したものである。
また好ましくは、本発明のカメラは、圧縮されたデータをネットワークに伝送するものである。
また好ましくは、本発明のカメラは、基本回路部にコンパクトフラッシュ（登録商標）等のリムーバブルな記憶媒体を実装したものである。